(57)【特許請求の範囲】
【請求項１】
周囲を囲繞して幼児の遊び場としたベビーサークルにおいて、
両外側面に取付腕を有し対向配置された支柱及び該支柱の下部を連結した下枠からなるほぼ逆門型状の支持枠、該支持枠の一方の支柱に水平方向に開閉可能に取付けられたドア、及び該ドアを前記支持枠にロックするロック機構からなるドア体と、
両外側面に取付腕を有する複数の共通パネルと、
平面ほぼ円弧状又はほぼく字状に形成され、両外側面に前記支持枠の取付腕又は前記共通パネルの取付腕に連結する連結部を有する複数のコーナーパネルとを備え、
前記支持枠と共通パネルに設けた取付腕をそれぞれ左右同じ位置、同じ形状に形成し、少なくとも前記１つのドア体と複数の共通パネル及び複数のコーナーパネルを適宜連結して構成したことを特徴とするベビーサークル。
【請求項２】
周囲を囲繞して幼児の遊び場としたベビーサークルにおいて、
両外側面に取付腕を有し対向配置された支柱及び該支柱の下部を連結した下枠からなるほぼ逆門型状の支持枠、該支持枠の一方の支柱に水平方向に開閉可能に取付けられたドア、及び該ドアを前記支持枠にロックするロック機構からなるドア体と、
両外側面に前記支持枠の取付腕と同じ構造の取付腕を有する複数の共通パネルと、
平面ほぼ円弧状又はほぼく字状に形成され、両外側面に前記支持枠の取付腕又は前記共通パネルの取付腕に連結される連結軸を有する突出部が設けられた複数のコーナーパネルとを備え、
前記支持枠と共通パネルに設けた取付腕をそれぞれ左右同じ位置、同じ形状に形成し、少なくとも前記１つのドア体及び複数の共通パネルの取付腕と前記複数のコーナーパネルの連結軸を適宜連結して構成したことを特徴とするベビーサークル。
【請求項３】
前記コーナーパネルは、該コーナーパネルを前記ドア体又は共通パネルと連結したときに、その突出部の下面が前記ドア体又は共通パネルの取付腕の上面に当接することを特徴とする請求項２記載のベビーサークル。
【請求項４】
ロック機構を、ドアの係止部に係止する係止爪を有し、外部からの操作により係止が解除される操作レバーを内蔵し、下部に支持枠の支柱の上端部に嵌合する開口部を備え、一端が前記ドアに回動可能に取付けられたロックハンドルと、
一端が前記ロックハンドルに連結され、前記ドア内を通って該ドアの下端部から突出し、ロック時にその先端部が前記支持枠の下枠に設けたロック穴に挿入されるロック棒とによって構成したことを特徴とする請求項１〜３のいずれかに記載のベビーサークル。
【発明の詳細な説明】
【０００１】
【発明の属する技術分野】
本発明は、パネルにより周囲を囲繞し、かつパネルに出入用のドアを設けて幼児の遊び場としたベビーサークルに関するものである。
【０００２】
【従来の技術】
従来から、格子あるいはパネルで周囲を囲繞して幼児の遊び場としたベビーサークルが実用化されている。
この種ベビーサークルの一例として、実公昭３８−１９５８６号公報に記載された考案がある。この考案に係る幼児用簡易安全さくは、適当の大きさに截切したビニール薄片の上下両端に袋状の挿入部を設け、これに直線状及び湾曲した同形の枠材をそれぞれ挿通して交互に配置し、各枠材の両端をＴ字管により横方向に連結すると共に、上下に対向する各Ｔ字管の垂直部に支柱の両端を結合したものである（従来技術１）。
【０００３】
また、実公昭５２−４８９３３号公報に、柵本体の一側に支腕を上下位置に突設し、各腕に４個所、６個所又は８個所に等間隔且つ同形の凸部と各凸部間に同形の凹部を有する角柱状のほぞを下向きに形成すると共に、本体の他側にほぞの断面形状に等しいほぞ孔を有する突起を設け、この柵本体を適宜数連結してサークル状に起立して使用するようにしたベビー用サークル用柵が記載されている（従来技術２）。
【０００４】
さらに、実公昭４１−１３７０７号公報には、横方向にハの字型の斜孔を有し、かつ上方の斜孔の上部を垂直状に形成した蝶番を両側の支柱にそれぞれのほぼ中央に相対向して設け、またハの字型斜孔の上端部と垂直線上に位置するように掛止受を支柱の上部所要位置に固着すると共に、支柱の間隔幅と同長の上下自由枠の上部自由枠の側縁両端部を蝶番の斜孔に遊嵌し、下部自由枠の側縁両端部を斜孔に遊嵌してなり、下部自由枠を開放するときは、この自由枠を斜孔に沿って上昇させながら下方を持上げて反転させ、その下端軸を掛止受に掛止するようにした幼児用サークルが記載されている（従来技術３）。
【０００５】
【発明が解決しようとする課題】
上述の従来技術１，２は、いずれもサークルに扉がないために、幼児の出し入れが面倒である。
また、従来技術３は扉は設けられているが、下部自由枠（したがって開平軸）が水平方向に設けられており、自由枠は垂直方向に、かつ上下方向の下方約２分の１の範囲だけ開放するようになっているので、やはり幼児の出し入れが面倒であり、その上圧迫感があるため出入りを嫌がる場合もある。
【０００６】
本発明は、上記の課題を解決するためになされたもので、幼児の出入りが容易であり、その上安全かつ意匠的に優れたベビーサークルを得ることを目的としたものである。
【０００７】
【課題を解決するための手段】
本発明は、周囲を囲繞して幼児の遊び場としたベビーサークルにおいて、両外側面に取付腕を有し対向配置された支柱及び該支柱の下部を連結した下枠からなるほぼ逆門型状の支持枠、該支持枠の一方の支柱に水平方向に開閉可能に取付けられたドア、及び該ドアを前記支持枠にロックするロック機構からなるドア体と、両外側面に取付腕を有する複数の共通パネルと、平面ほぼ円弧状又はほぼく字状に形成され、両外側面に前記支持枠の取付腕又は前記共通パネルの取付腕に連結する連結部を有する複数のコーナーパネルとを備え、前記支持枠と共通パネルに設けた取付腕をそれぞれ左右同じ位置、同じ形状に形成し、少なくとも前記１つのドア体と複数の共通パネル及び複数のコーナーパネルを適宜連結して構成したものである。
【０００８】
また、本発明は、周囲を囲繞して幼児の遊び場としたベビーサークルにおいて、両外側面に取付腕を有し対向配置された支柱及び該支柱の下部を連結した下枠からなるほぼ逆門型状の支持枠、該支持枠の一方の支柱に水平方向に開閉可能に取付けられたドア、及び該ドアを前記支持枠にロックするロック機構からなるドア体と、両外側面に前記支持枠の取付腕と同じ構造の取付腕を有する複数の共通パネルと、平面ほぼ円弧状又はほぼく字状に形成され、両外側面に前記支持枠の取付腕又は前記共通パネルの取付腕に連結される連結軸を有する突出部が設けられた複数のコーナーパネルとを備え、前記支持枠と共通パネルに設けた取付腕をそれぞれ左右同じ位置、同じ形状に形成し、少なくとも前記１つのドア体及び複数の共通パネルの取付腕と前記複数のコーナーパネルを適宜連結して構成したものである。
【０００９】
上記のコーナーパネルは、該コーナーパネルを前記ドア体又は共通パネルと連結したときに、その突出部の下面が前記ドア体又は共通パネルの取付腕の上面に当接するようにしたものである。
【００１０】
また、上記のロック機構を、ドアの係止部に係止する係止爪を有し、外部からの操作により係止が解除される操作レバーを内蔵し、下部に支持枠の支柱の上端部に嵌合する開口部を備え、一端が前記ドアに回動可能に取付けられたロックハンドルと、一端が前記ロックハンドルに連結され、前記ドア内を通って該ドアの下端部から突出し、ロック時にその先端部が前記支持枠の下枠に設けたロック穴に挿入されるロック棒とによって構成したものである。
【００１１】
【発明の実施の形態】
図１は本発明の一実施の形態の正面図、図２は図１の平面図、図３は背面図、図４は左右の側面図である。
図において、Ｃは幼児用サークルで、ドア１１と支持枠２からなるドア体１、共通の背面パネル及び側面パネル３、コーナーパネル４及びロック機構５からなっている。
【００１２】
ドア１１は、図５に示すように、合成樹脂からなり、例えばブロー成形によって中空に形成したもので、両側には中央部よりやや上方から外方に膨出した膨出部が設けられており、正面には複数の通気穴１２が設けられていて、この通気穴１２の間は柱状の形状となっている。なお、この通気穴１２は省略してもよく、あるいは、他の形状の穴や凹部、さらにはキャラクタを設けるなど、適宜変更することができる。
【００１３】
このドア１１の一方の膨出部の肩部及びこれと対向する下面には、後述の支持枠２に設けたヒンジ軸が回動自在に嵌入される軸受１３ａ，１３ｂが設けられている。また、軸受１３ａ，１３ｂと反対側の上端部には、緩やかな円弧状の凹部１４が形成されており、この凹部１４には、ロック機構５のロックハンドルを回動自在に支持するための支持穴１５、ロックハンドルの回動範囲を規制する回動規制穴１６及び係止部１７が、ロックハンドルの嵌入部分だけ薄くして設けられている。
【００１４】
支持枠２は図６に示すように、合成樹脂からなり、例えばブロー成形によって中空に形成されたもので、内側面がドア１１の外側面に対応した形状に形成された一対の支柱２１ａ，２１ｂと、その下端部において両支柱２１ａ，２１ｂを連結する下枠２２とによりほぼ逆門型状に形成されている。そして、支柱２１ａ，２１ｂの外側面の上部及び下端部には、外方に突出した取付腕２３が設けられており、各取付腕２３の上面には、後述のコーナパネル４に設けた連結軸の嵌入穴２４が設けられ、この嵌入穴２４にはそれぞれ軸受け２５が装着されている。
【００１５】
２６ａ，２６ｂは一方の支柱２１ａの内側の段部の下面、及びこれに対向して下枠２２に設けられ、ドア本体１１の軸受１３ａ，１３ｂに回動可能に嵌入されるヒンジ軸、２８は下枠２２に設けた穴２７に装着され、後述のロック機構５のロック棒の先端部が挿入されるキャップである。２９はヒンジ軸２６ａ，２６ｂと反対側の支柱２１ｂの上端部に設けられ、ロック機構５のロックハンドルの下部開口部が嵌合する嵌合部で、この部分だけ薄く形成されている。
【００１６】
背面パネル及び側面パネル３（以下、共通パネルという）は、図７に示すように、合成樹脂からなり、例えばブロー成形により中空で支持枠２とほぼ同じ幅、同じ高さに形成されており、正面には複数の通気穴３１が設けられている。なお、この通気穴３１は省略してもよく、あるいは他の形状の穴や凹部、さらにはキャラクタを設けるなど、適宜変更することができる。
この共通パネル３の両側面の上部及び下端部には、支持枠２と同様に外方に突出した取付腕３２が設けられており、各取付腕３２の上面には、後述のコーナパネル４に設けた連結軸の嵌入穴３３が設けられ、この嵌入穴３３には軸受３４が装着されている。
【００１７】
コーナパネル４は、図８に示すように、合成樹脂からなり、例えばブロー成形によって中空かつ平面円弧状で共通パネル３とほぼ同じ高さに形成され、正面には複数の通気穴４１が設けられているが、これは省略してもよく、あるいは起用通パネル３と同様に適宜変更してもよい。なお、平面円弧状の場合を示したが、平面ほぼく字状に形成してもよい。
【００１８】
このコーナパネル４の両側面の上端部及び下部には、その下面が支持枠２及び共通パネル３の取付腕２３，３２の上面に当接する突出部４２が設けられており、各突出部４２の下面には、支持枠２及び共通パネル３の取付腕２３，３２に設けた軸受２５，３４に嵌入される連結軸４３が垂設されている。４４は各連結部４３の上部に突設された抜け止め用の楔状突起部、４５は突起部４２の外側面に設けたがたつき防止用の突起部である。
【００１９】
ロック機構５は、図９及び図１０に示すように、ロックハンドル５１とロック棒６８とからなっている。ロックハンドル５１はほぼ同形状の表ケース５２ａと裏ケース５２ｂとを一体に結合して構成したもので、上面及び後面（図の右側）は閉塞され、前面及び下面は開口されている。５３は上面に設けられて後述の操作レバー６２の押ボタン６４が突出する開口部である。５４ａ，５４ｂ，５４ｃは表ケース５２ａと裏ケース５２ｂ（以下、表裏のケースと記すことがある）に対向して設けた位置決め用嵌合部で、表裏のケース５２ａ，５２ｂを結合したときにリベットが挿入されてかしめられる。なお、図の左端に設けられた位置決め用嵌合部５４ａは、表裏のケース５２ａ，５２ｂを結合する際に、ロックハンドル５１を回動可能に軸支する。
【００２０】
５５は表裏のケース５２ａ，５２ｂに設けられ、リベットかしめを行わない位置決め用嵌合部である。５６ａ，５６ｂは表裏のケース５２ａ，５２ｂにその後端部が位置決め用嵌合部５５と一体に形成された操作レバー６２の保持ケースで、図１２に示すように、先端部側にはばね座５７ａ，５７ｂが設けられており、表裏のケース５２ａ，５２ｂを結合したときに、両保持ケース５６ａ，５６ｂの間にはすき間ｇが形成される。５８は裏ケース５２ｂに保持ケース５６ｂのばね座５７ｂに近接して設けられ、ロック棒６８の上端部に設けた軸（折曲げ部）が回動可能に挿入される軸受穴、５９は同じく裏ケース５２ｂに設けられてドア１１の回動規制穴１６に嵌入されるガイドピン、６０はロック棒６８の揺動を防止するための押えガイド、６１はグリップである。
【００２１】
６２は操作レバーで、図１１に示すように、下端部にはドア１１に設けた係止部１７に係止する係止爪６３が設けられており、上面には押しボタン６４が突設されている。６５は内側に設けたばね保持部、６６は両側壁に設けたガイドリブである。
【００２２】
上記のような操作レバー６２は、例えば図１２に示すように、ばね保持部６５にコイルばね６７の一方の端部を当てがい、裏ケース５２ｂに設けた保持ケース５６ｂ上に載置してそのガイドリブ６６を保持ケース５６ｂの内壁に摺接させると共に、押しボタン６４を上部の開口部５３から突出させる。ついで、保持ケース５６ｂのばね座５７ｂにコイルばね６７の他方の端部を介装する。
この状態で表ケース５６ａを裏ケース５６ｂに結合すれば、操作レバー６２はコイルばね６７により常時矢印ａ方向に付勢され、かつ、両保持ケース５６ａ，５６ｂの間に摺動可能に保持され、押しボタン６４は上面の開口部５３から突出する。
【００２３】
再び図９において、６８はロック棒で、上端部は直角に折曲げられて裏ケース５２ｂの軸受穴５８に回動可能に挿入されており、ドア１１内に上下に移動自在に挿入されて下部はドア１１の下端部に設けたガイド１８に挿通されて下方に突出しており、図９の状態では、その先端部がフレーム２の下枠２２に設けたロック穴２７内に位置している。なお、２８はロック穴２７に嵌合したキャップであるが、これは省略してもよい。
【００２４】
上記のように構成したロック機構５において、ロックハンドル５１は、その位置決め用嵌合部５４ａに回動可能に軸支されており、図９の状態では、ロックハンドル５１はドア１１の凹部１４内に位置している。そして、係止爪６３がドア１１の係止部１７に係止し、下部開口部は一方の支柱２１ｂの上端部に設けた嵌合部２９に嵌合しており、ガイドピン５９は回動規制穴１６の下方に位置している。また、ロック棒６８の下端部は支持枠２の下枠２２に設けたロック穴２７内に挿入されている。
これにより、ドア１１の上下は支持枠２に確実にロックされて開放することができず、また、がたつくこともない。
【００２５】
ドア１１を開放する場合は、グリップ６１を握って親指で操作レバー６２の押しボタン６４を押圧する。これにより、操作レバー６２はコイルばね６７に抗して反矢印ａ方向に摺動し、係止爪６３が係止部１７から離脱する。
この状態で、図１３に示すように、ロックハンドル５１を位置決め用嵌合部５４ａを軸に上方に回動する。これにより、ロックハンドル５１の下部開口部が支柱２１ｂの嵌合部２９から外れると共に、ロック棒６８が上昇して下枠２２のロック穴２７から抜け出すのでロックが解除され、ドア１１を自由に開閉することができる。なお、このとき、ロックハンドル５１の回動範囲は、ガイドピン５９によって規制される。
【００２６】
ドア１１をロックするときは、ドア１１を支持枠２の支柱２１ｂの位置に整合させて、ロックハンドル５１を圧下する。これにより、係止爪６３が係止部１７に係止すると共に、ロックハンドル５１の下部開口部が支柱２１ｂの嵌合部２９に嵌合し、また、ロック棒６８が下降してその先端部が下枠２２のロック穴２７内に挿入されて、ロックが完了する。
【００２７】
次に、上記のような各部材からなるベビーサークルＣの組立手順の一例について説明する。
（１）先ず、支持枠２の両支柱２１ａ，２１ｂの間にドア１１を傾けて配設し、その上部に設けた軸受１３ａを支持枠２の支柱２１ａの上部に設けたヒンジ軸２６ａに嵌合し、ついで、下部に設けた軸受１３ｂをヒンジ軸２６ｂに嵌合してドア１１を下降させる。このとき、ロック機構５のロック棒６８の下端部が支持枠２の下枠２２に干渉する場合は、一時的にロック機構５のロックを解除してロック棒６８を上昇させればよい。また、ヒンジ軸２６ａにスペーサを嵌合してもよい。
これにより、ドア１１は、軸受１３ａ，１３ｂとヒンジ軸２６ａ，２６ｂからなるヒンジにより、支持枠２に開閉自在に支持される。
【００２８】
（２）次に、例えば、ドア１１が取付けられた支持枠２の両側の上下に設けた取付腕２３の軸受２５に、上方からコーナーパネル４の一方の側の上下に設けた連結軸４３をそれぞれ嵌入し、両者を一体に連結する。このとき、コーナーパネル４の各突出部４２の外側面に設けた突起部４５が支持枠２の外側面に当接し、また、各連結軸４３に設けた楔状突起部４４が軸受２５の内壁面に圧接されるので、がたついたり連結軸４３が軸受２５から抜け出したりすることはない。
【００２９】
（３）ついで、これら両コーナーパネル４の他方の側の連結軸４３を、同様にして側面パネルを形成する両側の共通パネル３の一方の側の取付腕３２に設けた軸受３４に嵌入する。
これにより、背面側が開口されたほぼコ字状の枠組が構成される。
【００３０】
（４）この状態で、背面側の開口部に、背面パネルを形成する共通パネル３を配設し、この共通パネル３の両側に設けた取付腕３２の軸受３４と、側面パネルを形成した両側の共通パネル３の他方の取付腕３２の軸受３４とに、コーナーパネル４の連結軸４３をそれぞれ嵌入する。
これにより、図２に示すようなほぼ四角形のベビーサークルＣが組立てられる。
なお、上記の組立手順はその一例を示すもので、例えば、支持枠２と共通パネル３及びコーナーパネル４により枠組を構成したのち支持枠２にドア１１を装着するなど、適宜変更することができる。
【００３１】
ベビーサークルＣ内に幼児が出入りする場合は、ロックハンドル５１によりロックを解除し、ドア１１を水平方向に回動して開放し、支持枠２の開口部から幼児をベビーサークルＣ内に入れ、またはベビーサークルＣから出して、再びドア１１を閉じてロックする。この場合、ドア１１を開放しても、支持枠２は下枠２２で連結されているため、サークル自体の形状は維持される。
このように、本発明によれば、ドア１１を水平方向に回動することにより支持枠２の開口部が広く開放されるので、幼児の出入りがきわめて容易であり、また、ドア１１は上下でロックされるので、がたつくこともない。
【００３２】
上記の説明では、ドア１１を有するドア体１と、共通パネル３からなる側面パネル及び背面パネルとを、コーナーパネル４で連結してほぼ四角形のベビーサークルＣを形成した場合を示したが、本発明はこれに限定するものではなく、平面円弧状のコーナーパネルの半径又は平面ほぼく字状のコーナーパネルの角度を適宜変更し、又はこれらを組合わせることにより、ほぼ三角形あるいはほぼ五角形以上のベビーサークルを形成することができる。
また、本発明に係る水平方向に開閉するドアは、他の構造のベビーサークルにも実施することができる。
【００３３】
【発明の効果】
本発明に係るベビーサークルは、垂直方向を回転軸とするヒンジにより水平方向に開閉するドアを設け、開口部を全開するようにしたので、幼児の出入りがきわめて容易である。
【００３４】
また、本発明に係るベビーサークルは、対向配置された支柱及び支柱の下部を連結した下枠からなるほぼ逆門型状の支持枠と、この支持枠の一方の支柱に水平方向に開閉可能に取付けられたドアと、このドアを支持枠にロックするロック機構とからなるドア体を備えたので、上記と同様の効果を得ることができる。
【００３５】
さらに、本発明に係るベビーサークルは、両外側面に取付腕を有し対向配置された支柱及びこの支柱の下部を連結した下枠からなるほぼ逆門型状の支持枠、この支持枠の一方の支柱に水平方向に開閉可能に取付けられたドア、及びドアを前記支柱にロックするロック機構からなるドア体と、両外側面に取付腕を有する複数の共通パネルと、平面ほぼ円弧状又はほぼく字状に形成され、両外側面に支持枠及び共通パネルの取付腕に連結される連結部を有する複数のコーナーパネルとを備え、ドアを有する支持体と共通パネルをコーナーパネルで連結してベビーサークルを形成するようにしたので、組立がきわめて簡単で幼児の出入りも容易であり、その上意匠的に優れたベビーサークルを得ることができる。
【００３６】
さらに、上記のロック機構を、ドアの係止部に係止する係止爪を有し、外部からの操作により係止が解除される操作レバーを内蔵し、下部に支持枠の支柱の上端部に嵌合する開口部を備え、一端がドアに回動可能に取付けられたロックハンドルと、一端がロックハンドルに連結され、ドア内を通ってドアの下端部から突出し、ロック時にその先端部が支持枠の下枠に設けたロック穴に挿入されるロック棒とによって構成し、ドアの閉止時にその上下を支持枠にロックするようにしたので、ドアを確実にロックすることができ、がたつくこともない。
【図面の簡単な説明】
【図１】本発明の実施の形態の一例の正面図である。
【図２】図１の平面図である。
【図３】図２の背面図である。
【図４】図２の左右の側面図である。
【図５】図１のドアの正面図である。
【図６】一部を断面で示した図１の支持枠の正面図である。
【図７】一部を断面で示した図２の背面パネル及び側面パネルを構成する共通パネルの正面図である。
【図８】図２のコーナパネルの平面図及び正面図である。
【図９】ドア体の一部の断面図及びその平面図である。
【図１０】図９のロックハンドルの裏ケースの正面（内面）図である。
【図１１】図９の操作レバーの正面図、側面図及びＡ−Ａ断面図である。
【図１２】一部を切除したロックハンドルの要部の斜視図である。
【図１３】ロック機構の作用説明図である。
【符号の説明】
１  ドア体
１１  ドア
１３ａ，１３ｂ  軸受
１５  支持穴
１７  係止部
２  支持枠
２１ａ，２１ｂ  支柱
２２  下枠
２３  取付腕
２４  嵌入穴
２５  軸受
２６ａ，２６ｂ  ヒンジ軸
２７  ロック穴
２９  嵌合部
３  共通パネル
３２  取付腕
３３  嵌入穴
３４  軸受
４  コーナーパネル
４２  突出部
４３  連結軸
５  ロック機構
５１  ロックハンドル
５８  軸受穴
６１  グリップ
６２  操作レバー
６３  係止爪
６４  押しボタン
６８  ロック棒
【図１】
0004206549.tif 000002
【図２】
0004206549.tif 000003
【図３】
0004206549.tif 000004
【図４】
0004206549.tif 000005
【図５】
0004206549.tif 000006
【図６】
0004206549.tif 000007
【図７】
0004206549.tif 000008
【図８】
0004206549.tif 000009
【図９】
0004206549.tif 000010
【図１０】
0004206549.tif 000011
【図１１】
0004206549.tif 000012
【図１２】
0004206549.tif 000013
【図１３】
0004206549.tif 000014